(57)【要約】【課題】複合コンテンツの登録作業を簡単化することを可能とするサーバ装置、クライアント装置および複合コンテンツ登録方法を提供する。【解決手段】複合コンテンツ属性情報生成部２０２は、素材コンテンツ取得部１０２から複合コンテンツを構成するために必要な複数の素材コンテンツ２１１の提供を要求された際、その要求された素材コンテンツ２１１で作成されることになる複合コンテンツの複合コンテンツ属性情報２１３を、これらの素材コンテンツ２１１それぞれの素材コンテンツ属性情報２１２を用いて、その時点で先行して生成・登録する。そして、複合コンテンツ登録部２０４は、作成された複合コンテンツ自体の登録を複合コンテンツ登録要求部１０３から要求された際、事前に生成・登録済みの複合コンテンツ属性情報２１３と関連づけて当該複合コンテンツ２１４を登録する。【選択図】      図１
2005332077.tif 000002
【特許請求の範囲】
【請求項１】
複数の素材コンテンツから構成される複合コンテンツの登録をクライアント装置から受け付けるサーバ装置において、
データ格納手段と、
前記クライアント装置から登録を要求された素材コンテンツをその属性情報と共に前記データ格納手段に格納する素材コンテンツ登録手段と、
複合コンテンツを構成するために必要な複数の素材コンテンツの提供を前記クライアント装置から要求された際、この複合コンテンツの属性情報を前記データ格納手段に格納された前記複数の素材コンテンツそれぞれの属性情報から生成して前記データ格納手段に格納する第１の複合コンテンツ登録手段と、
前記クライアント装置から複合コンテンツの登録を要求された際、前記第１の複合コンテンツ登録手段によって生成された属性情報と関連づけて前記複合コンテンツを前記データ格納手段に格納する第２の複合コンテンツ登録手段と
を具備することを特徴とするサーバ装置。
【請求項２】
前記素材コンテンツ登録手段は、前記素材コンテンツを一意に識別するための第１の識別子を発行し、この第１の識別子と関連づけて前記素材コンテンツおよびその属性情報を前記データ格納手段に格納する手段を有し、
前記第１の複合コンテンツ登録手段は、素材コンテンツの提供を要求する際に前記クライアント装置が送出する前記第１の識別子から各素材コンテンツの属性情報を取得して前記複合コンテンツの属性情報を生成すると共に、前記複合コンテンツを一意に識別するための第２の識別子を発行し、この第２の識別子と関連づけて前記生成した属性情報を前記データ格納手段に格納する手段する手段を有し、
前記第２の複合コンテンツ登録手段は、複合コンテンツの登録を要求する際に前記クライアント装置が送出する前記第２の識別子と関連づけて前記複合コンテンツを前記データ格納手段に格納する手段を有する
ことを特徴とする請求項２記載のサーバ装置。
【請求項３】
複数の素材コンテンツから構成される複合コンテンツを作成してサーバ装置に登録を依頼するクライアント装置において、
データ格納手段と、
素材コンテンツをその属性情報と共に前記サーバ装置に転送して登録を要求する素材コンテンツ登録要求手段と、
前記登録した素材コンテンツの中から複合コンテンツを構成するために必要な複数の素材コンテンツの提供を前記サーバ装置に要求し、この要求に応答して返送される前記複数の素材コンテンツと、前記複合コンテンツと前記複数の素材コンテンツとの関連を示す関連情報とを前記データ格納手段に格納する素材コンテンツ取得手段と、
前記取得した複数の素材コンテンツを用いて複合コンテンツを作成し、この複合コンテンツを前記取得した関連情報に含まれる前記複合コンテンツを一意に識別可能な情報と共に前記サーバ装置に転送して登録を要求する複合コンテンツ登録要求手段と
を具備することを特徴とするクライアント装置。
【請求項４】
前記素材コンテンツ取得手段により取得されて前記データ格納手段に格納される前記関連情報は、前記複合コンテンツを構成する前記複数の素材コンテンツそれぞれを一意に識別するための第１の識別子群と、前記複合コンテンツを一意に識別するための第２の識別子との対でなり、
前記複合コンテンツ登録要求手段は、前記第１の識別子群を検索鍵として前記作成した複合コンテンツに対応する関連情報を特定し、この特定した関連情報中の前記第２の識別子を前記複合コンテンツと共に前記サーバ装置に転送する手段を有する
ことを特徴とする請求項３記載のクライアント装置。
【請求項５】
複数の素材コンテンツから構成される複合コンテンツを作成するクライアント装置と前記複合コンテンツの登録を前記クライアント装置から受け付けるサーバ装置とを有するシステムの複合コンテンツ登録方法であって、
前記クライアント装置は、素材コンテンツをその属性情報と共に前記サーバ装置に転送して登録を要求し、
前記サーバ装置は、前記クライアント装置から登録を要求された素材コンテンツをそのその属性情報と共に格納し、
前記クライアント装置は、前記登録した素材コンテンツの中から複合コンテンツを構成するために必要な複数の素材コンテンツの提供を前記サーバ装置に要求し、
前記サーバ装置は、前記複数の素材コンテンツの提供を前記クライアント装置から要求された際、この複合コンテンツの属性情報を前記格納した前記複数の素材コンテンツそれぞれの属性情報から生成すると共に、前記複合コンテンツを一意に識別するための識別子を発行し、この識別子と関連づけて前記生成した属性情報を格納して、前記発行した識別子を前記要求された複数の素材コンテンツと共に前記クライアント装置に返送し、
前記クライアント装置は、前記要求に応答して返送された複数の素材コンテンツを用いて複合コンテンツを作成し、この複合コンテンツを前記返送された識別子と共に前記サーバ装置に転送して登録を要求し、
前記サーバ装置は、前記クライアント装置から複合コンテンツの登録を要求された際、前記複合コンテンツと共に転送された前記識別子と関連づけて前記クライアント装置から受け取った複合コンテンツを格納する
ことを特徴とする複合コンテンツ登録方法。
【発明の詳細な説明】
【技術分野】
【０００１】
この発明は、複数の素材コンテンツから構成される複合コンテンツの登録作業を簡単化するためのデータ管理技術に関する。
【背景技術】
【０００２】
近年、インターネットはもはやインフラストラクチャといえるほど産業活動や日常生活に浸透しており、このインターネットを介して様々な情報がやり取りされている。インターネットでやり取り可能な情報の多くは、コンテンツと称されており、このコンテンツを管理するためのシステムも種々開発されている（例えば特許文献１等参照）。
【０００３】
ところで、素材としてのコンテンツ（以下、素材コンテンツという）を複数まとめて作成される、例えば教材などの複合的なコンテンツ（以下、複合コンテンツという）を管理する場合には、この複合コンテンツがどの素材コンテンツで構成されるのかを含む、複合コンテンツの属性情報を併せて管理することが必要となる。そして、構成要素となる素材コンテンツは、複合コンテンツの作成時に決定されることから、これまでは、複合コンテンツの作成が完了したタイミングで、その複合コンテンツ自体の登録とほぼ同時に、どの素材コンテンツで構成されるのかを含む、複合コンテンツの属性情報を登録するのが一般的であった。
【０００４】
【特許文献１】特開２０００−３２２４３２号公報
【発明の開示】
【発明が解決しようとする課題】
【０００５】
このように、従来では、複合コンテンツ自体の登録に加え、その複合コンテンツがどの素材コンテンツで構成されるのかを含む、複合コンテンツの属性情報も、その複合コンテンツの作成完了時にほぼ同時に行われていたため、その登録作業が複雑化してしまい、作業ミスを誘発しやすい等の問題があった。
【０００６】
この発明は、このような事情を考慮してなされたものであり、複合コンテンツの登録作業を簡単化することを可能とするサーバ装置、クライアント装置および複合コンテンツ登録方法を提供することを目的とする。
【課題を解決するための手段】
【０００７】
前述の目的を達成するために、この発明は、複数の素材コンテンツから構成される複合コンテンツの登録をクライアント装置から受け付けるサーバ装置において、データ格納手段と、前記クライアント装置から登録を要求された素材コンテンツをその属性情報と共に前記データ格納手段に格納する素材コンテンツ登録手段と、複合コンテンツを構成するために必要な複数の素材コンテンツの提供を前記クライアント装置から要求された際、この複合コンテンツの属性情報を前記データ格納手段に格納された前記複数の素材コンテンツそれぞれの属性情報から生成して前記データ格納手段に格納する第１の複合コンテンツ登録手段と、前記クライアント装置から複合コンテンツの登録を要求された際、前記第１の複合コンテンツ登録手段によって生成された属性情報と関連づけて前記複合コンテンツを前記データ格納手段に格納する第２の複合コンテンツ登録手段とを具備することを特徴とする。
【０００８】
また、この発明は、複数の素材コンテンツから構成される複合コンテンツを作成してサーバ装置に登録を依頼するクライアント装置において、データ格納手段と、素材コンテンツをその属性情報と共に前記サーバ装置に転送して登録を要求する素材コンテンツ登録要求手段と、前記登録した素材コンテンツの中から複合コンテンツを構成するために必要な複数の素材コンテンツの提供を前記サーバ装置に要求し、この要求に応答して返送される前記複数の素材コンテンツと、前記複数の素材コンテンツと前記複合コンテンツとの関連を示す関連情報とを前記データ格納手段に格納する素材コンテンツ取得手段と、前記取得した複数の素材コンテンツを用いて複合コンテンツを作成し、この複合コンテンツを前記取得した関連情報に含まれる前記複合コンテンツを一意に識別可能な情報と共に前記サーバ装置に転送して登録を要求する複合コンテンツ登録要求手段とを具備することを特徴とする。
【０００９】
また、この発明は、複数の素材コンテンツから構成される複合コンテンツを作成するクライアント装置と前記複合コンテンツの登録を前記クライアント装置から受け付けるサーバ装置とを有するシステムの複合コンテンツ登録方法であって、前記クライアント装置は、素材コンテンツをその属性情報と共に前記サーバ装置に転送して登録を要求し、前記サーバ装置は、前記クライアント装置から登録を要求された素材コンテンツをそのその属性情報と共に格納し、前記クライアント装置は、前記登録した素材コンテンツの中から複合コンテンツを構成するために必要な複数の素材コンテンツの提供を前記サーバ装置に要求し、前記サーバ装置は、前記複数の素材コンテンツの提供を前記クライアント装置から要求された際、この複合コンテンツの属性情報を前記格納した前記複数の素材コンテンツそれぞれの属性情報から生成すると共に、前記複合コンテンツを一意に識別するための識別子を発行し、この識別子と関連づけて前記生成した属性情報を格納して、前記発行した識別子を前記要求された複数の素材コンテンツと共に前記クライアント装置に返送し、前記クライアント装置は、前記要求に応答して返送された複数の素材コンテンツを用いて複合コンテンツを作成し、この複合コンテンツを前記返送された識別子と共に前記サーバ装置に転送して登録を要求し、前記サーバ装置は、前記クライアント装置から複合コンテンツの登録を要求された際、前記複合コンテンツと共に転送された前記識別子と関連づけて前記クライアント装置から受け取った複合コンテンツを格納することを特徴とする。
【発明の効果】
【００１０】
この発明によれば、複合コンテンツの登録作業を簡単化することを可能とするサーバ装置、クライアント装置および複合コンテンツ登録方法を提供することができる。
【発明を実施するための最良の形態】
【００１１】
以下、図面を参照してこの発明の実施形態を説明する。
図１は、この発明の実施形態に係るシステムの構成例を示した図である。
図１に示すように、本実施形態のシステムは、複合コンテンツ登録クライアント１００と複合コンテンツ登録サーバ２００との２つのコンピュータが、ネットワーク３００を介して接続される構成となっている。ネットワーク３００としては、インターネット、電話網、無線網、ＬＡＮなど、どのようなものを用いてもよい。また、ネットワーク３００を介さず直接的に接続してもよい。
【００１２】
複合コンテンツ登録クライアント１００は、複数の素材コンテンツから構成される複合コンテンツを作成して複合コンテンツ登録サーバ２００に登録を依頼する役割を担うコンピュータであり、素材コンテンツ登録要求部１０１、素材コンテンツ取得部１０２、複合コンテンツ登録要求部１０３の各処理部と、記憶部１１０のデータ部とを有している。各処理部は、複合コンテンツ登録クライアント１００に搭載されるプロセッサが対応プログラムを実行することで構築され、一方、データ部は、複合コンテンツ登録クライアント１００に搭載される例えば磁気ディスク装置やＲＡＭなどの記憶領域の一部を確保することで構築される。
【００１３】
複合コンテンツ登録サーバ２００は、複数の素材コンテンツから構成される複合コンテンツの登録を複合コンテンツ登録クライアント１００から受け付ける役割を担うコンピュータであり、素材コンテンツ登録部２０１、複合コンテンツ属性情報生成部２０２、素材コンテンツ提供部２０３、複合コンテンツ登録部２０４の各処理部と、記憶部２１０のデータ部とを有している。前述の複合コンテンツ登録クライアント１００と同様、この複合コンテンツ登録サーバ２００の各処理部も、複合コンテンツ登録サーバ２００に搭載されるプロセッサが対応プログラムを実行することで構築され、一方、データ部は、複合コンテンツ登録サーバ２００に搭載される例えば磁気ディスク装置やＲＡＭなどの記憶領域の一部を確保することで構築される。
【００１４】
次に、図２を併せて参照して、本実施形態のシステムで実行される複数の素材コンテンツから構成される複合コンテンツに関わる登録処理の流れを説明する。
このシステムでは、まず、複合コンテンツ登録クライアント１００が、素材コンテンツ登録要求処理を素材コンテンツ登録要求部１０１により実行する（図２のＳ１１）。図３は、この素材コンテンツ登録要求部１０１が実行する素材コンテンツ登録要求処理の流れを示すフローチャートである。
【００１５】
素材コンテンツ登録要求部１０１は、複合コンテンツのもとになる素材コンテンツの属性情報を作成する（ステップＡ１）。そして、素材コンテンツ登録要求部１０１は、素材コンテンツと、ステップＡ１で作成した素材コンテンツ属性情報とを複合コンテンツ登録サーバ２００に送出して登録を要求する（ステップＡ２，ステップＡ３）。
【００１６】
ここで作成される素材コンテンツ属性情報は、素材コンテンツ情報と素材コンテンツ著作権情報とで構成される。素材コンテンツ情報は、作成者、タイトル、キーワード、ジャンルなど、素材コンテンツ自体に関する情報からなる。素材コンテンツ著作権情報は、素材コンテンツの権利種別、権利種別ごとの権利者名など、素材コンテンツの著作権に関する情報からなる。
【００１７】
素材コンテンツと素材コンテンツ属性情報とが複合コンテンツ登録クライアント１００から複合コンテンツ登録サーバ２００に転送されると、複合コンテンツ登録サーバ２００は、素材コンテンツ登録処理を素材コンテンツ登録部２０１により実行する（図２のＳ２１）。図４は、この素材コンテンツ登録部２０１が実行する素材コンテンツ登録処理の流れを示すフローチャートである。
【００１８】
素材コンテンツ登録部２０１は、複合コンテンツ登録クライアント１００から登録要求のあった素材コンテンツとその素材コンテンツ属性情報とを素材コンテンツをシステム内で一意に識別するための素材コンテンツ識別子を発行して関連付ける（ステップＢ１）。そして、素材コンテンツ登録部２０１は、この素材コンテンツおよび素材コンテンツ属性情報を記憶部２１０に保存する（ステップＢ２，ステップＢ３）。この素材コンテンツ登録部２０１が実行する素材コンテンツ登録処理によって、複合コンテンツ登録サーバ２００の記憶部２１０には、素材コンテンツ２１１が図５（Ａ）に示すように、また、素材コンテンツ属性情報２１２が図５（Ｂ）に示すようにそれぞれ保存される。図５に示すように、素材コンテンツ２１１と素材コンテンツ属性情報２１２とは、素材コンテンツ識別子によって関連づけられた状態で記憶部２１０に保存される。
【００１９】
この素材コンテンツおよび素材コンテンツ属性情報の登録後、複合コンテンツ登録クライアント１００は、今度は、素材コンテンツ取得処理を素材コンテンツ取得部１０２により実行する（図２のＳ１２）。図６は、この素材コンテンツ取得部１０２が実行する素材コンテンツ取得処理の流れを示すフローチャートである。
【００２０】
素材コンテンツ取得部１０２は、素材コンテンツ登録要求部１０１によって複合コンテンツ登録サーバ２００に登録した素材コンテンツを複数指定し（ステップＣ１）、複合コンテンツに必要な複数の素材コンテンツの提供を複合コンテンツ登録サーバ２００に要求する。この複合コンテンツに必要な複数の素材コンテンツの指定は、キーワードやジャンルなど、素材コンテンツ属性情報を条件とする検索などによって行う。また素材コンテンツの取得要求は、指定した素材コンテンツを識別する複数の素材コンテンツ識別子を複合コンテンツ登録サーバ２００に送出することにより行う（ステップＣ２）。この素材コンテンツの取得要求を行うと、複合コンテンツ登録サーバ２００の後述する複合コンテンツ属性情報生成部２０２による複合コンテンツ属性情報生成処理および素材コンテンツ提供部２０３による素材コンテンツ提供処理を経て、複合コンテンツ登録サーバ２００から要求した各素材コンテンツと共に後述する複合コンテンツ−素材コンテンツ関連情報が転送されてくるので、素材コンテンツ取得部１０２は、この複合コンテンツ−素材コンテンツ関連情報を記憶部１１０に保存する（ステップＣ３）。
【００２１】
素材コンテンツの取得要求として素材コンテンツ識別子が複合コンテンツ登録クライアント１００から複合コンテンツ登録サーバ２００に転送されると、複合コンテンツ登録サーバ２００は、複合コンテンツ属性情報生成処理を複合コンテンツ属性情報生成部２０２により実行する（図２のＳ２２）。図７は、この複合コンテンツ属性情報生成部２０２が実行する複合コンテンツ属性情報生成処理の流れを示すフローチャートである。
【００２２】
複合コンテンツ属性情報生成部２０２は、複合コンテンツ登録クライアント１００から取得要求として転送された複数の素材コンテンツ識別子より、複合コンテンツの属性情報を生成し（ステップＤ１）、複合コンテンツをシステム内で一意に識別するための複合コンテンツ識別子を発行して関連付ける（ステップＤ２）。そして、複合コンテンツ属性情報生成部２０２は、この複合コンテンツ属性情報を記憶部２１０に保存する。つまり、従来であれば、複合コンテンツの作成が完了したタイミングで、複合コンテンツ自体の保存とほぼ同時に行われていた複合コンテンツ属性情報の保存（Ｘ１）を、本システムは、複合コンテンツを構成するために必要な複数の素材コンテンツの取得要求が発生したタイミングで、複合コンテンツ自体の保存（Ｘ２）とは分離して事前に行うわけである。
【００２３】
ここで作成される複合コンテンツ属性情報は、複合コンテンツ情報と複合コンテンツ著作権情報とで構成される。複合コンテンツ属性情報は、作成者、タイトル、キーワード、ジャンル、複合コンテンツを構成する素材コンテンツの情報など、複合コンテンツ自体に関する情報からなる。複合コンテンツ著作権情報は、複合コンテンツの権利種別、権利種別ごとの権利者名など、複合コンテンツの著作権に関する情報からなる。
【００２４】
また、この複合コンテンツ属性情報の生成が完了すると、複合コンテンツ属性情報生成部２０２は、複合コンテンツ登録クライアント１００から取得した複数の素材コンテンツ識別子とステップＤ２で発行した複合コンテンツ識別子の対（複合コンテンツ−素材コンテンツ関連情報）を素材コンテンツ提供部２０３に送出する（ステップＤ４）。
【００２５】
複合コンテンツ属性情報生成部２０２から素材コンテンツ提供部２０３に向けて複合コンテンツ−素材コンテンツ関連情報が送出されると、複合コンテンツ登録サーバ２００では、素材コンテンツ提供処理が素材コンテンツ提供部２０３により実行される（図２のＳ２３）。図８は、この素材コンテンツ提供部２０３が実行する素材コンテンツ提供処理の流れを示すフローチャートである。
【００２６】
素材コンテンツ提供部２０３は、複合コンテンツ属性情報生成部２０２から取得した複数の素材コンテンツ識別子より、複合コンテンツに必要な複数の素材コンテンツを記憶部２１０から読み出して（ステップＥ１）、複合コンテンツ登録クライアント１００に送出する（ステップＥ２）。また、素材コンテンツ提供部２０３は、複合コンテンツ属性情報生成部２０２から取得した複数の素材コンテンツ識別子と複合コンテンツ識別子の対でなる複合コンテンツ−素材コンテンツ関連情報を複合コンテンツ登録クライアント１００に送出する（ステップＥ３）。
【００２７】
以上の複合コンテンツ登録クライアント１００の素材コンテンツ取得部１０２が実行する素材コンテンツ取得処理、複合コンテンツ登録サーバ２００の複合コンテンツ属性情報生成部２０２が実行する複合コンテンツ属性情報生成処理および素材コンテンツ提供部２０３が実行する素材コンテンツ提供処理によって、複合コンテンツ登録サーバ２００の記憶部２１０には、複合コンテンツ属性情報２１３が図９に示すように、また、複合コンテンツ登録クライアント１００の記憶部１１０には、複合コンテンツ−素材コンテンツ関連情報１１１が図１０に示すようにそれぞれ保存される。
【００２８】
その後、複合コンテンツ登録クライアント１００は、複合コンテンツ登録要求処理を複合コンテンツ登録要求部１０３により実行する（図２のＳ１３）。図１１は、この複合コンテンツ登録要求部１０３が実行する複合コンテンツ登録要求処理の流れを示すフローチャートである。
【００２９】
複合コンテンツ登録要求部１０３は、まず、複合コンテンツを構成する複数の素材コンテンツの識別子（ファイル名など）を条件に、記憶部１１０に保存された複合コンテンツ−素材コンテンツ関連情報を検索し、登録する複合コンテンツの複合コンテンツ識別子を読み出す（ステップＦ１）。そして、複合コンテンツ登録要求部１０３は、複合コンテンツ登録サーバ２００から取得した複数の素材コンテンツを用いて作成された複合コンテンツを複合コンテンツ登録サーバ２００に送出して登録を要求すると共に、ステップＦ１で読み出した複合コンテンツ識別子を複合コンテンツ登録サーバ２００に送出する（ステップＦ３）。
【００３０】
この複合コンテンツと複合コンテンツ識別子とが複合コンテンツ登録クライアント１００から複合コンテンツ登録サーバ２００に転送されると、複合コンテンツ登録サーバ２００は、複合コンテンツ登録処理を複合コンテンツ登録部２０４により実行する（図２のＳ２４）。図１２は、この複合コンテンツ登録部２０４が実行する複合コンテンツ登録処理の流れを示すフローチャートである。
【００３１】
複合コンテンツ登録部２０４は、複合コンテンツ登録クライアント１００から登録要求のあった複合コンテンツを、同じく複合コンテンツ登録クライアント１００から取得した複合コンテンツ識別子と関連付ける（ステップＧ１）。そして、複合コンテンツ登録部２０４は、この複合コンテンツを記憶部２１０に保存する（ステップＧ２）。この複合コンテンツ登録部２０４が実行する複合コンテンツ登録処理によって、複合コンテンツ登録サーバ２００の記憶部２１０には、既存の複合コンテンツ属性情報２１３に加えて、複合コンテンツ２１４が図１３（Ｂ）に示すように保存される。図１３（Ａ）は、図９に示した複合コンテンツ属性情報２１３を改めて示したものであり、図１３に示すように、複合コンテンツ属性情報２１３と複合コンテンツ２１４とは、複合コンテンツ識別子によって関連づけられた状態で記憶部２１０に保存される。つまり、本システムでは、複合コンテンツの作成が完了したタイミングにおいては、複合コンテンツ自体の保存（Ｘ２）のみを行えば良い。
【００３２】
以上のように、本システムによれば、複合コンテンツの登録作業を、複合コンテンツ属性情報２１３の登録と複合コンテンツ２１４自体の登録とに分け、複合コンテンツを作成するための素材コンテンツを取得する段階で、複合コンテンツとそれを構成する素材コンテンツとの間の関連情報を前もって作成する仕組み、つまり複合コンテンツを作成する前に複合コンテンツ属性情報２１３を予め登録する仕組みを設けたことにより、従来では複合コンテンツ作成完了時に行っていた、複合コンテンツと素材コンテンツとの関連情報を作成する作業がそのタイミングでは削減されるので、複合コンテンツ作成完了時の作業の簡単化を図ることが可能となる。
【００３３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３４】
【図１】この発明の実施形態に係るシステムの構成例を示した図
【図２】同実施形態のシステムの動作シーケンス例を示した図
【図３】同実施形態の複合コンテンツ登録クライアントが備える素材コンテンツ登録要求部が実行する素材コンテンツ登録要求処理の流れを示すフローチャート
【図４】同実施形態の複合コンテンツ登録サーバが備える素材コンテンツ登録部が実行する素材コンテンツ登録処理の流れを示すフローチャート
【図５】同実施形態の複合コンテンツ登録サーバが備える記憶部への素材コンテンツおよび素材コンテンツ属性情報の保存状態を示す図
【図６】同実施形態の複合コンテンツ登録クライアントが備える素材コンテンツ取得部が実行する素材コンテンツ取得処理の流れを示すフローチャート
【図７】同実施形態の複合コンテンツ登録サーバが備える複合コンテンツ属性情報生成部が実行する複合コンテンツ属性情報生成処理の流れを示すフローチャート
【図８】同実施形態の複合コンテンツ登録サーバが備える素材コンテンツ提供部が実行する素材コンテンツ提供処理の流れを示すフローチャート
【図９】同実施形態の複合コンテンツ登録サーバが備える記憶部への複合コンテンツ属性情報の保存状態を示す図
【図１０】同実施形態の複合コンテンツ登録クライアントが備える記憶部への複合コンテンツ−素材コンテンツ関連情報の保存状態を示す図
【図１１】同実施形態の複合コンテンツ登録クライアントが備える複合コンテンツ登録要求部が実行する複合コンテンツ登録要求処理の流れを示すフローチャート
【図１２】同実施形態の複合コンテンツ登録サーバが備える複合コンテンツ登録部２０４が実行する複合コンテンツ登録処理の流れを示すフローチャート
【図１３】同実施形態の複合コンテンツ登録サーバが備える記憶部への複合コンテンツの保存状態を示す図
【符号の説明】
【００３５】
１００…複合コンテンツ登録クライアント、１０１…素材コンテンツ登録要求部、１０２…素材コンテンツ取得部、１０３…複合コンテンツ登録要求部、２００…複合コンテンツ登録サーバ、２０１…素材コンテンツ登録部、２０２…複合コンテンツ属性情報生成部、２０３…素材コンテンツ提供部、２０４…複合コンテンツ登録部、３００…ネットワーク。
【図１】
2005332077.tif 000003
【図２】
2005332077.tif 000004
【図３】
2005332077.tif 000005
【図４】
2005332077.tif 000006
【図５】
2005332077.tif 000007
【図６】
2005332077.tif 000008
【図７】
2005332077.tif 000009
【図８】
2005332077.tif 000010
【図９】
2005332077.tif 000011
【図１０】
2005332077.tif 000012
【図１１】
2005332077.tif 000013
【図１２】
2005332077.tif 000014
【図１３】
2005332077.tif 000015